(57)【要約】　　　（修正有）【課題】リクライニング出来るシートや椅子の背持たれを倒した時に起きる、衣服の引っ張られる事やヘッドレストからの頭のずれる不快感を解消し、快適なシートや椅子を提供する。【解決手段】背持たれシート１のフレーム２，３を二重構造にし、スライドするフレーム３を設け、角度調整のためのギヤの付いた円板１２に設けたピン１３が溝を切ったアーム８をシートが倒れると同調して押し下げ、もうー方のアーム９を引き、背もたれが伸縮するこの時、背持たれシートの下部と座席の裏に伸縮時に重なる事を防ぐカット４，５がしてあり、伸縮する時は、カットされた面に沿ってスライドする。また、円板上のピン６がアームの溝を滑りながら動く事により、スライドフレームは垂直と水平に近づくと、スライド量が少なくなる特異な伸縮効果を持つ。【選択図】　　図３
2004130040.tif 000002
【特許請求の範囲】
【請求項１】
イ．背持たれシート（１）が支持フレーム（２）とスライドするフレーム（３）の二重構造を持ち、背もたれ角度、調整に伴って背持たれシートが伸縮する。
ロ．背持たれシート下部（４）と座席後部の裏（５）に、伸縮に伴って起きる重なりを防ぐカット部分を有する。
ハ．伸縮をつかさどる力点（６）が移動する構造から、背持たれシートが垂直や水平に近づくにつれて伸縮する割合が小さくなる特徴を持つ。
以上の構成からなるリクライニングシート背持たれ伸縮装置。
【発明の詳細な説明】
【０００１】
【発明の属する技術分野】
この発明は、リクライニングシートを倒した時に着ている服が頭の方向に引っ張られ、シートを起こす時には尻方向に引っ張られる事を無くす、リクライニングシート背持たれ伸縮装置に関するものである。
【０００２】
【従来の技術】
従来のリクライニングシートは背持たれ支持フレームの角度調整軸を中心に倒すもので、衣服が引っ張られたり、ヘッドレストから頭のずれてしまう物であった。
【０００３】
【発明で解決しようとする課題】
今までのリクライニングシートは衣服が引っ張られて不快であり、一度座り直さずにはいられないものであった。本発明はその欠点を解決するため、背持たれを伸縮させる装置の発明である。
【０００４】
【課題を解決するための手段】
以上の課題を解決するため、背持たれシート（１）を倒した時、支点（７）を軸に、スライド溝を有するアーム（８）を力点になるピン（６）で動かし、一方のアーム（９）を引っ張って、支持フレーム（２）とスライドフレーム（３）からなる背持たれシート（１）を縮める。この時背持たれシート（１）は、座席シート（１４）のカットされた部分（５）に沿って縮む。
本発明は、以上の構成からなるリクライニングシート背持たれ伸縮装置である。
【０００５】
【発明の実施の形態】
以下、本発明の実施の形態について説明する。図３、図４で示す様に、背持たれシート（１）は支持フレーム（２）にスライドフレーム（３）をかぶせた二重構造になっており、スライドフレーム（３）にアーム（９）を取り付けるピン（１０）を設け、シート固定金具（１１）に角度調整ギヤ付き円板（１２）の取付けピン（２３）とアーム支点ピン（７）を熔接、円板（１２）上に力点ピン（６）も熔接するピン（１０）にアーム（９）を差し、アーム（８）を力点ピン（６）の溝に通して支点ピン（７）に差し、アーム（８）とアーム（９）をピン（１３）でつなぐ。全てのピンには溝があり、Ｃ型とめ金具でとめる。この伸縮装置を左右に取付け、また、背持たれシート（１）と座席シート（１４）に伸縮時の重なりを防ぐカット（４）、（５）を作る。本発明は以上の構造からなっており、本発明を使用するには、レバー（１５）を引いて、好みの角度にするだけで、自動で背持たれシートは伸縮する。図５は使用時のシートの縮み方及びフレーム（８）（９）、背持たれシート（１）の支持フレーム（２）の変化を示すものである。
（イ）第一実施形態
図６で示す様に、背持たれ支持フレーム（１７）を左右一体にしてスライドフレーム（１８）を通した背持たれフレーム（１７）。
（ロ）第二実施形態
図７の示す様に、角度調整円板（１９）の一部（２０）を曲げ、シート固定金具（２１）に付けたピン（２２）にワイヤー（２３）を固定し、支持フレーム（２６）を倒すと円板上に設けたローラー（２５）に掛けたワイヤー（２３）が引かれ、図８で示す背持たれ支持フレーム（２６）に付くスライドフレーム（２７）が引かれ縮む。支持フレーム（２６）の中にバネ（２８）の半分を入れ、スライドフレーム（２７）をバネ（２８）と支持フレーム（２６）にかぶせた構造に作られている。
（ハ）第三実施形態
図３で示したアーム（８）を図９の丸棒（２９）に変え、ピン（３０）に穴を開けて、通すピン（３０）は回転出来る構造で、図３のアーム（９）を図９のワイヤー（３１）に変えて、ローラー（３２）に掛けて引っ張られて縮むものである。なお、円板（３３）と背持たれフレーム（３４）は熔接する。
（ニ）第四実施形態
図１０のベットの丸印（３５）の部分に使った使用図。
【０００６】
【発明の効果】
本発明を使用することで、リクライニングシートの背持たれシートを倒した時の衣服を引っ張られる不快感を無くし、座り直さなくて済む様になる。シートが前後にあるとき、シートが縮むことにより、後方の人との空間や視界が広くなる効果がある。
【図面の簡単な説明】
【図１】本発明の斜視図
【図２】本発明の背持たれフレーム図
【図３】本発明の主要部拡大図
【図４】本発明の分解斜視図
【図５】本発明の使用状態変化図
【図６】本発明の応用形態図イ
【図７】本発明の応用形態図ロ
【図８】本発明の応用形態図ハ
【図９】本発明の応用形態図ニ
【図１０】本発明の応用形態図ホ
【図１１】本発明の角度調整レバーの構造
【符号の説明】
１　　背持たれシート
２　　背持たれ支持フレーム
３　　背持たれスライドフレーム
４　　背持たれカット部分
５　　座席シートカット部分
６　　力点ピン
７　　支点ピン
８　　溝付きアーム
９　　アーム
１０　スライドフレームピン
１１　シート取付け金具
１２　角度調整ギヤ付き円板
１３　アームジョイントピン
１４　座席シート
１５　角度調整レバー
１６　角度調整バネ
１７　変化例パイプ背持たれ支持フレーム
１８　変化例パイプスライドフレーム
１９　変化例角度調整ギヤ付き円板
２０　変化例ワイヤー乗せ曲げ部分
２１　変化例シート取付け金具
２２　変化例ワイヤー固定ピン
２３　変化例ワイヤー
２４　変化例支持フレーム
２５　変化例ローラー
２６　変化例支持フレーム
２７　変化例スライドフレーム
２８　変化例バネ
２９　変化例丸棒
３０　変化例回転ピン
３１　変化例ワイヤー
３２　変化例ローラー
３３　変化例円板
３４　変化例背持たれフレーム
３５　変化例丸印
【図１】
2004130040.tif 000003
【図２】
2004130040.tif 000004
【図３】
2004130040.tif 000005
【図４】
2004130040.tif 000006
【図５】
2004130040.tif 000007
【図６】
2004130040.tif 000008
【図７】
2004130040.tif 000009
【図８】
2004130040.tif 000010
【図９】
2004130040.tif 000011
【図１０】
2004130040.tif 000012
【図１１】
2004130040.tif 000013